(57)【要約】【課題】有蹄動物の蹄部を効率よく消毒できる消毒装置を提供する。【解決手段】消毒装置１は、有蹄動物である牛２の側方から、その牛２の蹄部３に向けて消毒液を噴射する左右の側方噴射手段21を備える。各側方噴射手段21は、前後方向に並びかつ第１方向を向いた複数の第１ノズル23からなる第１ノズル群24を有する。また、各側方噴射手段21は、前後方向に並びかつ第２方向を向いた複数の第２ノズル26からなる第２ノズル群27を有する。さらに、消毒装置１は、消毒液が浸み込むことが可能なマット11を備え、このマット11上を牛２が移動する。【選択図】図１
2020142006.tif 000002
【特許請求の範囲】
【請求項１】
消毒液を用いて有蹄動物の蹄部を消毒する消毒装置であって、
有蹄動物の側方から、有蹄動物の蹄部に向けて消毒液を噴射する側方噴射手段を備え、
前記側方噴射手段は、
前後方向に並びかつ第１方向を向いた複数の第１ノズルからなる第１ノズル群と、
前後方向に並びかつ第２方向を向いた複数の第２ノズルからなる第２ノズル群とのうち、少なくともいずれか一方のノズル群を有する
ことを特徴とする消毒装置。
【請求項２】
側方噴射手段は、有蹄動物の左右の側方にそれぞれ配置され、
左側の前記側方噴射手段のノズルと、右側の前記側方噴射手段のノズルとは、互いに対向している
ことを特徴とする請求項１記載の消毒装置。
【請求項３】
側方噴射手段は、有蹄動物の左右の側方にそれぞれ配置され、
左側の前記側方噴射手段のノズルと、右側の前記側方噴射手段のノズルとは、互いに対向していない
ことを特徴とする請求項１記載の消毒装置。
【請求項４】
側方噴射手段が有するノズル群を構成する複数のノズルは、
平面視で前後方向に対して直交する直交方向を向いたものと、
平面視で前記直交方向に対して前方側へ傾斜する前方傾斜方向を向いたものと、
平面視で前記直交方向に対して後方側へ傾斜する後方傾斜方向を向いたものとを含む
ことを特徴とする請求項１ないし３のいずれか一記載の消毒装置。
【請求項５】
側方噴射手段は、
前後方向に並びかつ第１方向である水平方向を向いた複数の第１ノズルからなる第１ノズル群と、
前後方向に並びかつ第２方向である斜め上方向を向いた複数の第２ノズルからなる第２ノズル群とを有する
ことを特徴とする請求項１ないし４のいずれか一記載の消毒装置。
【請求項６】
有蹄動物が載る載置板部を備え、
前記載置板部は、消毒液が浸み込むことが可能な材料で構成されている
ことを特徴とする請求項１ないし５のいずれか一記載の消毒装置。
【発明の詳細な説明】
【技術分野】
【０００１】
本発明は、消毒液を用いて有蹄動物の蹄部を消毒する消毒装置に関するものである。
【背景技術】
【０００２】
従来、例えば脚先に蹄部を有する牛、馬、豚等の有蹄動物の洗浄施設として、下記の特許文献１に記載されたものが知られている。
【０００３】
この従来の洗浄施設は、塩化物の希薄塩水溶液を被電解水とする電解生成アルカリ性水を貯えて有蹄動物の下肢の前洗浄に使用される第１洗浄槽と、この第１洗浄槽の前方にて一段高い位置に配置され、前記塩化物の希薄塩水溶液を被電解水とする電解生成酸性水を貯えて前記有蹄動物の下肢の後洗浄に使用される第２洗浄槽とを備えている。そして、有蹄動物を前記第１洗浄槽内に導いてその下肢を前記電解生成アルカリ性水により洗浄し、その後、有蹄動物を前記第２洗浄槽に導いてその下肢を前記電解生成酸性水により洗浄する。
【先行技術文献】
【特許文献】
【０００４】
【特許文献１】特許第３５１９０２４号公報
【発明の概要】
【発明が解決しようとする課題】
【０００５】
しかしながら、上記従来のものでは、有蹄動物を２つの第１洗浄槽及び第２洗浄槽に順に導く必要があるため、有蹄動物の蹄部の消毒に手間がかかり、効率的ではない。
【０００６】
本発明は、このような点に鑑みなされたもので、有蹄動物の蹄部を効率よく消毒できる消毒装置を提供することを目的とする。
【課題を解決するための手段】
【０００７】
本発明に係る消毒装置は、消毒液を用いて有蹄動物の蹄部を消毒する消毒装置であって、有蹄動物の側方から、有蹄動物の蹄部に向けて消毒液を噴射する側方噴射手段を備え、前記側方噴射手段は、前後方向に並びかつ第１方向を向いた複数の第１ノズルからなる第１ノズル群と、前後方向に並びかつ第２方向を向いた複数の第２ノズルからなる第２ノズル群とのうち、少なくともいずれか一方のノズル群を有するものである。
【発明の効果】
【０００８】
本発明によれば、有蹄動物の蹄部を効率よく消毒することができる。
【図面の簡単な説明】
【０００９】
【図１】本発明の第１の実施の形態に係る消毒装置の平面図である。
【図２】同上消毒装置の後方視の断面図である。
【図３】同上消毒装置の側方視の概略断面図である。
【図４】本発明の第２の実施の形態に係る消毒装置の平面図（千鳥配置）である。
【図５】本発明の第３の実施の形態に係る消毒装置の平面図である。
【図６】同上消毒装置の後方視の断面図である。
【図７】本発明の第４の実施の形態に係る消毒装置の平面図（千鳥配置）である。
【図８】本発明の第５の実施の形態に係る消毒装置の後方視の断面図である。
【図９】本発明の第６の実施の形態に係る消毒装置の後方視の断面図である。
【図１０】本発明の第７の実施の形態に係る消毒装置の後方視の断面図である。
【図１１】本発明の第８の実施の形態に係る消毒装置の後方視の断面図である。
【図１２】本発明の第９の実施の形態に係る消毒装置の平面図である。
【発明を実施するための形態】
【００１０】
本発明の第１の実施の形態について図１ないし図３を参照して説明する。
【００１１】
図中の１は有蹄動物用の消毒装置（蹄病消毒装置）で、この消毒装置１は、蹄病予防のために、消毒液を用いて有蹄動物である牛２の蹄部３を消毒するものである。
【００１２】
消毒液は、人や動物に無害の消毒液であって環境を汚染しない「食品衛生法の飲用適の水」に合致した水、すなわち例えば、次亜塩素酸（ＨＣｌＯ）を含む水である次亜塩素酸水である。なお、消毒液としては、次亜塩素酸水を用いることが好ましいが、これには限定されず、一般の消毒液を使用することも可能である。
【００１３】
牛（有蹄類）２は、前後左右の４本の脚５を備え、これら４本の各脚５は、主蹄3a及び副蹄3bからなる蹄部３を脚先に有している。つまり、蹄部３は、地面等の接地面に接地する主蹄3aと、この主蹄3aよりも少し上方に位置する副蹄3bとによって構成されている。なお、副蹄3bは、脚５の下端部（脚先）の後側に左右対となって設けられている。
【００１４】
消毒装置１は、前方（進行方向）への移動により誘導されてきた牛２が、その上面10上に載って前方へ歩く前後方向長手状で平面視矩形状をなす水平状の載置板部であるマット11を備えている。
【００１５】
マット11は、消毒液が浸み込むことが可能でかつ弾性変形可能な材料で構成されたもので、例えば比較的軟質な多孔質性のスポンジマットである。なお、載置板部としては、スポンジマットを用いることが好ましいが、例えば沈み込みの少ないゴムマット等を用いてもよい。
【００１６】
マット11は、このマット11よりも幅寸法が小さいメッシュ状の支持部であるメッシュ板（支持板部）12によって支持されている。メッシュ板12は、消毒液及び汚物（糞尿等）を一時的に貯留する貯留部13の上面開口14を覆うように設けられている。なお、貯留部13には、消毒液及び汚物を外部へ排出するための排出管15が接続されている。
【００１７】
マット11の幅方向である左右方向両端部及び左右方向中央部（中間部）には、消毒液及び汚物を貯留部13に落下させるための開口部16が前後方向長手状に形成されており、この溝状の３つの開口部16によってメッシュ板12の一部が露出している。つまり、マット11は、例えば２枚のマット部材11aで構成されている。なお、３つの開口部16の大きさは、それぞれ同じでもよく、異なっていてもよい。また、マット11は、１頭の牛２が一時的に収納された状態となる収納領域18の下面に位置しており、この収納領域18は１頭の牛２の大きさに対応した領域である。
【００１８】
また、消毒装置１は、マット11上を歩いて移動する移動中の牛２の左右の側方から、その牛２の蹄部３に向けて消毒液を噴射（噴霧）する左右の側方噴射手段21を備えている。
【００１９】
各側方噴射手段21は、互いに間隔をおいて前後方向に並びかつ噴射口が第１方向である水平方向（内向きの水平方向）を向いた複数の第１ノズル23からなる第１ノズル群24と、互いに間隔をおいて前後方向に並びかつ噴射口が第１方向とは異なる第２方向である斜め上方向（内向きの斜め上方向）を向いた複数の第２ノズル26からなる第２ノズル群27とを有している。つまり、各側方噴射手段21は、第１ノズル群24及び第２ノズル群27の両方を有している。
【００２０】
そして、第１ノズル群24を構成する各第１ノズル23と、第２ノズル群27を構成する各第２ノズル26とは、前後方向に交互に並んでいる。左側の側方噴射手段21の２つのノズル群24，27の各ノズル23，26と、右側の側方噴射手段21の２つのノズル群24，27の各ノズル23，26とは、所定距離を介して左右に互いに対向している。
【００２１】
また、図１に示すように、各ノズル23，26は、平面視で噴射口が前後方向に対して直交する直交方向を向いている。前後方向に列状に並設された複数のノズル（ノズル列）23，26は、ポンプの駆動により消毒液が流れる前後方向長手状の配管31に取り付けられている。
【００２２】
そして、配管31及びこの配管31に取り付けられた各ノズル23，26は、断面略コ字状のカバー体32によって覆われている。このカバー体32のうち、各ノズル23，26の噴射口に対応する部分には、当該噴射口を露出させるためのノズル用開口33が形成されている。カバー体32内には、当該カバー体32内を加熱するための加熱手段である温熱パイプ35が設けられている。
【００２３】
側方噴射手段21のカバー体32は、メッシュ板12の上面36と同一面上に位置する床面37上に設けられており、また、この床面37上には、メッシュ板12の上面36で支持したマット11と同じ厚さの別のマット39が設けられている。
【００２４】
さらに、消毒装置１は、マット11上に位置する牛２の有無を検知する前後の検知手段41，42と、この検知手段41，42の検知に基づいてポンプを制御する制御手段43とを備えている。各検知手段41，42は、例えば光学系のセンサー等で構成されている。
【００２５】
次に、消毒装置１の作用等を説明する。
【００２６】
消毒対象物である牛２が収納領域18内に進入してマット11上を歩いて移動する際に、左右の側方噴射手段21の各ノズル23，26から噴射される消毒液及びマット11に浸み込んだ消毒液によって、移動中の牛２の前後左右の４本の脚５の蹄部３が消毒される。
【００２７】
この際、第１ノズル23及び第２ノズル26は、図２に示すように牛２の蹄部３に向けて消毒液を噴射する。また、主として第１ノズル23からの消毒液（第１ノズル23を有しない構成では第２ノズル26からの消毒液）によって、マット11上の汚物（糞尿等）が除去される。つまり、マット11上の汚物、特に固体状の汚物は、消毒液とともに流れて開口部16を通って貯留部13に落下する。さらに、第２ノズル26からの消毒液によって牛２の乳頭も消毒される（ただし、消毒液の種類によっては乳頭に当たらないようにする必要がある。）。なお、液体状の汚物や消毒後の消毒液は、図３に示すようにマット11及びメッシュ板12を通過して貯留部13へ落下する。
【００２８】
そして、このような消毒装置１によれば、左右の側方噴射手段21を備え、この各側方噴射手段21が複数の第１ノズル23からなる第１ノズル群24と複数の第２ノズル26からなる第２ノズル群27とを有するため、牛２の４本すべての脚５の蹄部３を効率よくかつ適切に消毒できる。よって、従来とは異なり、２つの槽に牛２を順次導く必要がなく、作業者の負担軽減を図ることができるとともに、蹄病の予防や治療に極めて有用である。
【００２９】
また、各ノズル23，26からの消毒液が浸み込む弾性変形可能な載置板部であるマット11を備え、このマット11の上面10上を牛２が歩いて移動し、この移動時に牛２の自重でマット11が凹状に弾性変形するため、このマット11に浸み込んだ消毒液によって蹄部３を適切かつ効果的に消毒できる。
【００３０】
さらに、各ノズル23，26がその噴射口から噴射する消毒液として、次亜塩素酸水を用いるため、環境を汚染することなく、大量に使用しても何ら問題は生じない。
【００３１】
次に、本発明の第２の実施の形態について図４を参照して説明する。
【００３２】
第２の実施の形態に係る消毒装置１は、図４に示すように、左側の側方噴射手段21の２つのノズル群24，27の各ノズル23，26と、右側の側方噴射手段21の２つのノズル群24，27の各ノズル23，26とが、互いに対向しない構成である。つまり、左右の両側方噴射手段21を構成する複数のノズル23，26は、千鳥状に配置されている。このため、消毒液によってマット11上の汚物（糞尿等）を効果的に除去できる。なお、その他の構成等は、上述した第１の実施の形態と同様である。
【００３３】
次に、本発明の第３の実施の形態について図５及び図６を参照して説明する。
【００３４】
第３の実施の形態に係る消毒装置１は、図５及び図６に示すように、側方噴射手段21が第２ノズル群27を有していない。つまり、左右の各側方噴射手段21は、第１ノズル群24及び第２ノズル群27のうちいずれか一方のみ、すなわち例えば第１ノズル群24のみを有している。
【００３５】
そして、左右の各側方噴射手段21が有する第１ノズル群24を構成する複数（少なくとも３つ以上）の第１ノズル23は、少なくとも、平面視で噴射口が前後方向（牛の移動方向）に対して直交する直交方向（図５に示すａ方向）を向いたノズル23（23a）と、平面視で噴射口が直交方向に対して前方側へ傾斜する前方傾斜方向（図５に示すｂ方向）を向いたノズル23（23b）と、平面視で噴射口が直交方向に対して後方側へ傾斜する後方傾斜方向（図５に示すｃ方向）向いたノズル23（23c）とを含んでいる。
【００３６】
この図５に図示した例では、左右の各第１ノズル群24は、異なる３方向の第１ノズル23a，23b，23cで構成されている。なお図示しないが、各第１ノズル群24を同じ方向の第１ノズル23で構成してもよい。また、平面視傾斜状の第１ノズル23b，23cの傾斜角度αは、直交方向に対して例えば２０°〜３０°である。なお、その他の構成等は、上述した第１の実施の形態と同様である。
【００３７】
次に、本発明の第４の実施の形態について図７を参照して説明する。
【００３８】
第４の実施の形態に係る消毒装置１は、図７に示すように、左側の側方噴射手段21の第１ノズル群24の第１ノズル23と、右側の側方噴射手段21の第１ノズル群24の第１ノズル23とが、互いに対向しない構成である。つまり、左右の両側方噴射手段21を構成する複数のノズル23は、千鳥状に配置されている。このため、消毒液によってマット11上の汚物（糞尿等）を効果的に除去できる。なお、その他の構成等は、上述した第３の実施の形態と同様である。
【００３９】
次に、本発明の第５の実施の形態について図８を参照して説明する。
【００４０】
第５の実施の形態に係る消毒装置１は、図８に示すように、側方噴射手段21が第１ノズル群24を有していない。つまり、左右の各側方噴射手段21は、第１ノズル群24及び第２ノズル群27のうちいずれか一方のみ、すなわち例えば第２ノズル群27のみを有している。
【００４１】
左右の各第２ノズル群27を構成する第２ノズル26の噴射口の向きは、すべて同じ方向でもよく、互いに異なる３方向でもよい。また、各第２ノズル26の配置に関しては、対向配置でもよく、千鳥配置でもよい。なお、その他の構成等は、上述した第１の実施の形態と同様である。
【００４２】
次に、本発明の第６の実施の形態について図９を参照して説明する。
【００４３】
第６の実施の形態に係る消毒装置１は、図９に示すように、マット11，39の厚さ寸法を大きくすることにより、マット11の上面10と、マット39の上面39aと、カバー体32の上面32aとが、同一面上に位置するフラット構成である。また、このマット11には、開口部16が設けられていない。このため、マット11上の汚物はマット39の上面39a上へ除去される。なお、その他の構成等は、上述した第５の実施の形態と同様である。
【００４４】
次に、本発明の第７の実施の形態について図１０を参照して説明する。
【００４５】
第７の実施の形態に係る消毒装置１は、図１０に示すように、側方噴射手段21を段部50に埋め込むことにより、マット11の上面10と、マット39の上面39aと、カバー体32の上面32aとが、同一面上に位置するフラット構成である。また、このマット11には、開口部16が設けられていない。このため、マット11上の汚物はマット39の上面39a上へ除去される。なお、その他の構成等は、上述した第５の実施の形態と同様である。
【００４６】
次に、本発明の第８の実施の形態について図１１を参照して説明する。
【００４７】
この図１１に示す第８の実施の形態に係る消毒装置１は、図２のものにおいて３つの開口部19をなくした構成であり、互いに離間対向する左右のカバー体32の間にマット11が嵌合されている。なお図示しないが、マット11は、左右両側の開口部19のみを有した構成、中央部の開口部19のみを有した構成、或いは後側のみに開口部を形成した構成等でもよい。
【００４８】
次に、本発明の第９の実施の形態について図１２を参照して説明する。
【００４９】
この図１２に示す第９の実施の形態に係る消毒装置１は、例えば長い通路やリターンレーン等の細長い通路部の途中に設置する場合に適したもので、図１のものを前後方向に複数（例えば２つ）並設した構成である。このため、消毒対象物である牛２は、ゾーン１で消毒された後、ゾーン２でも同様に消毒されるため、複数回の消毒処理によって蹄部３をより一層適切に消毒でき、かつ、複数頭の牛２を連続的に消毒できる。
【００５０】
なお、上記いずれの実施の形態においても、消毒対象物は、牛等の偶蹄類には限定されず、馬等の奇蹄類でもよく、蹄部を有する有蹄動物であればすべて適用可能である。
【００５１】
また、載置板部上を歩いて移動中の有蹄動物の蹄部を消毒する場合について説明したが、例えば載置板部上の所定位置で有蹄動物を一旦停止させて消毒するようにしてもよい。
【００５２】
さらに、第１ノズルの向き（第１方向）は水平方向であり、第２ノズルの向き（第１方向とは異なる第２方向）は斜め上方向である場合について説明したが、この方向には限定されず、例えば第１方向を斜め下方向にしたり第２方向を水平方向にすることも可能である。なお図示しないが、各ノズルは、有蹄動物の大きさに対応できるように配管に対して位置調整可能とした構成でもよく、また、噴射口の向きが調整可能な構成や、噴射量が調整可能な構成等でもよい。
【００５３】
なお、本発明のいくつかの実施の形態及びその変形例等について説明したが、本発明の要旨を逸脱しない範囲で、前記各実施の形態や変形例等を適宜組み合わせることも可能である。
【符号の説明】
【００５４】
１    消毒装置
２    有蹄動物である牛
３    蹄部
11    載置板部であるマット
21    側方噴射手段
23    第１ノズル
24    第１ノズル群
26    第２ノズル
27    第２ノズル群
【図１】
2020142006.tif 000003
【図２】
2020142006.tif 000004
【図３】
2020142006.tif 000005
【図４】
2020142006.tif 000006
【図５】
2020142006.tif 000007
【図６】
2020142006.tif 000008
【図７】
2020142006.tif 000009
【図８】
2020142006.tif 000010
【図９】
2020142006.tif 000011
【図１０】
2020142006.tif 000012
【図１１】
2020142006.tif 000013
【図１２】
2020142006.tif 000014